(57)【要約】【課題】電圧切替作業時にドライバーからネジを脱落させることなく確実に保持して電圧切替の作業性を向上する。【解決手段】ネジ脱落防止具２０は、ネジ１３を回すためのドライバー１７の軸とネジ１３の頭部１３ａが挿通する挿通孔２１を形成した本体部２２と、本体部２２の先端でネジ１３を保持する保持部２３と、分電盤の主幹バー３に当接させてネジ孔１０とネジ１３とドライバー１７を一直線にしてネジ１３の締め付け／緩め作業性を向上する当接部２４と、作業時に指で摘んで持てるようにするツマミ部２５とを備えて構成する。【選択図】図３
2010004586.tif 000002
【特許請求の範囲】
【請求項１】
分岐ブレーカの電源側端子に切替分岐バーの一端を接続し、他端を電圧極の主幹バー又は中性極の主幹バーにネジにより選択的に接続することで電圧切替を行う単相３線式分電盤に用いられ、電圧切替作業時に前記ネジの脱落を防止するネジ脱落防止具であって、前記ネジを回すためのドライバーの軸と前記ネジの頭部が挿通する挿通孔を形成した本体部と、該本体部の先端で前記ネジを保持する保持部とで成ることを特徴とするネジ脱落防止具。
【請求項２】
前記保持部は前記本体部の先端に形成されたスリットにより撓むようにされた弾性部と、該弾性部の先端内側に突設されて前記ネジの頭部に係止して保持する係止部と、該係止部と対向して前記ネジの頭部に係止するように前記本体部の先端内側に突設された突条部とを備えて成ることを特徴とする請求項１に記載のネジ脱落防止具。
【請求項３】
前記係止部は先端側及び基端側とも傾斜面となるように突設させて形成したことを特徴とする請求項２に記載のネジ脱落防止具。
【請求項４】
前記電圧極の主幹バーに対して前記挿通孔が垂直となるように中性極の主幹バーに当接する当接部を設けたことを特徴とする請求項１乃至請求項３に記載のネジ脱落防止具。
【発明の詳細な説明】
【技術分野】
【０００１】
本発明は、単相３線式分電盤の電圧切替を行う際にネジの脱落を防止するためのネジ脱落防止具に関する。
【背景技術】
【０００２】
単相３線式分電盤は、例えば特許文献１に記載されるように切替分岐バーの一端を分岐ブレーカに接続し、切替分岐バーの他端を中性極の主幹バー又は電圧極の主幹バーに選択的に接続することで電圧切替ができるようになっている。電圧切替は切替分岐バーの一端が接続された分岐ブレーカの電源側端子を緩め、主幹バーに固定するためのネジを外した状態で切替分岐バーの一端を軸として回転させることで他端が中性極の主幹バー又は電圧極の主幹バーに当接し、何れか一方の主幹バーに切替分岐バーの他端を当接させた上、切替分岐バーの他端に形成された透孔にネジを挿通させて主幹バーに形成されたネジ孔に締め付け固定することで行われていた。
【０００３】
【特許文献１】特開２００２−１６５３１６号公報
【発明の開示】
【発明が解決しようとする課題】
【０００４】
このように、電圧切替作業においてネジを完全に取り外してしまうため、ネジを脱落させてしまうことがあった。通常、分電盤は天井近くの高所に設置されるため、ネジが地面に落下すると作業者が脚立等から降りてネジを探さなければならず、非常に煩わしいという欠点があった。また、先端が磁化されてネジが脱落しないように吸着するドライバーを使用した場合でも、ドライバーの先端からネジの溝が外れて軸にネジが吸着してしまうことがあり、再びドライバーの先端にネジを差し込まなければならず、このとき誤ってネジを脱落させてしまうこともあり、煩わしさが解消できなかった。
【課題を解決するための手段】
【０００５】
本発明は、請求項１に記載の発明によれば、分岐ブレーカの電源側端子に切替分岐バーの一端を接続し、他端を電圧極の主幹バー又は中性極の主幹バーにネジにより選択的に接続することで電圧切替を行う単相３線式分電盤に用いられ、電圧切替作業時にネジの脱落を防止するネジ脱落防止具であって、ネジを回すためのドライバーの軸とネジの頭部が挿通する挿通孔を形成した本体部と、本体部の先端でネジを保持する保持部とで成ることを特徴とする。
【０００６】
請求項２に記載の発明によれば、請求項１に記載のネジ脱落防止具において、保持部は本体部の先端に形成されたスリットにより撓むようにされた弾性部と、弾性部の先端内側に突設されてネジの頭部に係止して保持する係止部と、係止部と対向してネジの頭部に係止するように本体部の先端内側に突設された突条部とを備えて成ることを特徴とする。
【０００７】
請求項３に記載の発明によれば、請求項２に記載のネジ脱落防止具において、係止部は先端側及び基端側とも傾斜面となるように突設させて形成したことを特徴とする。
【０００８】
請求項４に記載の発明によれば、請求項１乃至請求項３に記載のネジ脱落防止具において、電圧極の主幹バーに対して挿通孔が垂直となるように中性極の主幹バーに当接する当接部を設けたことを特徴とする。
【発明の効果】
【０００９】
請求項１に記載の発明によれば、電圧切替作業時に取り外したネジを脱落させることがないので作業性が向上し、また、ネジを締め付ける際に本体部の挿通孔がドライバーをネジに案内するので容易にネジの溝にドライバーの刃を噛み合わせることができるという効果がある。
【００１０】
請求項２に記載の発明によれば、請求項１に記載の発明の効果に加えて、ネジを確実に保持することができるという効果がある。
【００１１】
請求項３に記載の発明によれば、請求項２に記載の発明の効果に加えて、ネジ脱落防止具へのネジの保持及び離脱をスムーズに行うことができるという効果がある。
【００１２】
請求項４に記載の発明によれば、請求項１乃至請求項３に記載の発明の効果に加えて、電圧極の主幹バーに締め付け／緩める際にドライバー及びネジが切替分岐バーの透孔及び腕片のネジ孔に真っ直ぐになるので締め付け／緩め作業性がしやすいという効果がある。
【発明を実施するための最良の形態】
【００１３】
ネジ脱落防止具は、ネジを回すためのドライバーの軸とネジの頭部が挿通する挿通孔を形成した本体部と、本体部の先端でネジを保持する保持部と、分電盤の主幹バーに当接させてネジ孔とネジとドライバーを一直線にしてネジの締め付け／緩め作業性を向上する当接部と、作業時に指で摘んで持てるようにするツマミ部とを備えて構成する。
【実施例１】
【００１４】
本発明に係るネジ脱落防止具の実施例１を図１〜図９の添付図面に基づいて説明する。
【００１５】
単相３線式分電盤は、分電盤の取付姿勢において２本の電圧極の主幹バー１，２と１本の中性極の主幹バー３とが互いに所定間隔を有して横方向に配置され、これらの主幹バー１，２，３の上下両側に長手方向に沿って複数の分岐ブレーカ４が電源側端子５を主幹バー１，２，３側にして並設されている。分岐ブレーカ４の一方の電源側端子５には分岐バー６を介して一方の電圧極の主幹バー１，２に接続され、分岐ブレーカ４の他方の電源側端子５には切替分岐バー７を介して中性極の主幹バー３又は他方の電圧極の主幹バー２，１に接続されるようになっており、１００Ｖ接続又は２００Ｖ接続を選択することができる。
【００１６】
３本の主幹バー１，２，３は、中性極の主幹バー３が前側に配置され、電圧極の主幹バー１，２が後ろ側に上下に並んで配置されている。中性極の主幹バー３はネジ孔８を形成した舌片９が上下に突設され、電圧極の主幹バー１，２は分岐バー６が近い側の分岐ブレーカ４の電源側端子５に向けて突設され、ネジ孔１０を形成した腕片１１が遠い側の分岐ブレーカ４の電源側端子５に向けて突設されている。
【００１７】
切替分岐バー７は一端を直角に折曲してネジ１３が挿通する透孔１４を穿設した取付片１５が形成され、他端には分岐ブレーカ４の電源側端子５に差し込み可能な棒状の結合片１６が延設されている。
【００１８】
このように形成された切替分岐バー７は結合片１６を分岐ブレーカ４の電源側端子５に差し込んだ状態で、結合片１６を軸にして回転させることで取付片１５の透孔１４が中性極の主幹バー３の舌片９のネジ孔８又は電圧極の主幹バー１，２の腕片１１のネジ孔１０に選択的に一致するようになっており、１００Ｖ接続をする場合は切替分岐バー７の取付片１５を中性極の主幹バー３の舌片９に当接させ、取付片１５の透孔１４にネジ１３を挿通させて舌片９のネジ孔１０に締め付け固定し、２００Ｖ接続をする場合は切替分岐バー７の取付片１５を電圧極の主幹バー１，２の腕片１１に当接させ、取付片１５の透孔１４にネジ１３を挿通させて腕片１１のネジ孔１０に締め付け固定する。そして、電源側端子５の端子ネジを締め付けて結合片１６を固定することで接続が完了する。
【００１９】
電圧切替を行う際にネジ脱落防止具２０を使用することでネジ１３を脱落させることなく電圧を切り替えることができる。ネジ脱落防止具２０はドライバー１７の軸とネジ１３の頭部１３ａが挿通する挿通孔２１を形成した筒状の本体部２２と、本体部２２の先端でネジ１３を保持する保持部２３と、電圧極の主幹バー１，２の腕片１１に対して挿通孔２１が垂直となり、本体部２２の先端が腕片１１に当接させた切替分岐バー７の取付片１５と隙間を有するように中性極の主幹バー３に当接する当接部２４と、作業時に指で摘んで持てるようにするツマミ部２５とを備えて形成している。
【００２０】
また、保持部２３は本体部２２の先端から中間にかけて形成された２本のスリット２３ａにより挿通孔２１の径方向に撓むようにされた弾性部２３ｂと、弾性部２３ｂの先端内側に先端側及び基端側とも傾斜面となるように突設してネジ１３の頭部１３ａが係止して保持するようにした係止部２３ｃと、係止部２３ｃと対向してネジ１３の頭部１３ａに係止して保持するように本体部２１の先端内側に突設された突条部２３ｄとを備えて成っている。
【００２１】
１００Ｖに接続された状態から２００Ｖに切り替える場合、始めに分岐ブレーカ４の電源側端子５に接続された切替分岐バー７の結合片１６を固定する端子ネジを緩める。それから、中性極の主幹バー３の舌片９に切替分岐バー７の取付片１５を固定するネジ１３をネジ脱落防止具２０を使用して取り外す。取り外しはツマミ部２５を摘んで片手にネジ脱落防止具２０を持ち、もう片方の手にドライバー１７を持って行う。
【００２２】
手に持ったネジ脱落防止具２０は挿通孔２１を舌片９に固定されたネジ１３の頭部１３ａに嵌め合わせ、本体部２２の先端を取付片１５に当接するまで押し込む。そして、ドライバー１７を挿通孔２１に挿通させてネジ１３を緩めることでネジ１３が次第に手前側に突出し、ネジ１３の頭部１３ａが弾性部２３ｂを外側に撓ませ係止部２３ｃと突条部２３ｄを乗り越えて係止する。ネジ１３が舌片９のネジ孔８から完全に離脱するとネジ脱落防止具１０にネジ１３が保持された状態で取り外すことができる。
【００２３】
ネジ１３を取り外したら、次は切替分岐バー７を結合片１６を軸にして回転させ、取付片１５を電圧極の主幹バー１，２の腕片１１に当接させる。そして、ネジ脱落防止具２０の当接部２４を中性極の主幹バー３に当接させ、取付片１５の透孔１４にネジ脱落防止具２０で保持されたネジ１３の位置を合わせ、位置が合ったらドライバー１７でネジ１３を押し込んで取付片１５の透孔１４にネジ１３を挿通させる。そして、ドライバー１７を回してネジ１３を腕片１１のネジ孔１０に締め付けることで切替分岐バー７の取付片１５が固定される。また、最後に分岐ブレーカ４の電源側端子５の端子ネジを締め込むことで切替分岐バー７の結合片１６が固定されて電圧切替が完了する。
【００２４】
ネジ脱落防止具２０の当接部２４を中性極の主幹バー３に当接させることで挿通孔２１が腕片１１のネジ孔１０と垂直になり、ドライバー１７の軸及びネジ１３が取付片１５の透孔１４及び腕片１１のネジ孔１０に真っ直ぐになるのでスムーズに締め込み／緩めることができる。また、当接部２４を主幹バー３に当接させた際に取付片１５との間にネジ１３の頭部１３ａの厚み分の隙間を設けるようにしているのでネジ１３を締め込む際にネジ脱落防止具２０の本体部２２がネジ１３と切替分岐バー７との間に挟まって抜けなくなるのを防止している。
【００２５】
また、２００Ｖに接続された状態から１００Ｖに切り替える場合は、逆の手順により行う。なお、電圧切替作業後、ネジ脱落防止具２０はツマミ部２５に形成されたダルマ孔２６を分電盤内部のネジや突起などに引っ掛けて保管できるようになっている。
【００２６】
なお、ネジ脱落防止具２０の保持部を筒状のゴムで形成してネジを保持するようにしても良く、保持部の構造について限定はない。
【図面の簡単な説明】
【００２７】
【図１】分電盤の主幹バー及び電圧切替構造を示す斜視図である。
【図２】本発明に係るネジ脱落防止具を用いて電圧切替を行う様子を示し、ネジ脱落防止具をネジに差し込んだ状態の斜視図である。
【図３】本発明に係るネジ脱落防止具を用いて電圧切替を行う様子を示し、主幹バーからネジを抜き取ってネジ脱落防止具にネジを保持した状態の斜視図である。
【図４】本発明に係るネジ脱落防止具を用いて電圧切替を行う様子を示し、切替分岐バーを中性極の主幹バーから電圧極の主幹バーに切り替えた状態の斜視図である。
【図５】本発明に係るネジ脱落防止具を用いて電圧切替を行う様子を示し、切替分岐バーを電圧極の主幹バーにネジで固定する状態の斜視図である。
【図６】本発明に係るネジ脱落防止具を示し、（ａ）は平面図、（ｂ）は正面図、（ｃ）は右側面図である。
【図７】図６のＡ−Ａ断面図である。
【図８】図７のＢ部拡大図である。
【図９】本発明に係るネジ脱落防止具にネジが保持された状態の断面説明図である。
【符号の説明】
【００２８】
１    電圧極の主幹バー
２    電圧極の主幹バー
３    中性極の主幹バー
７    切替分岐バー
９    舌片
１１    腕片
１３    ネジ
１４    透孔
１５    取付片
１６    結合片
２０    ネジ脱落防止具
２１    挿通孔
２２    本体部
２３    保持部
【図１】
2010004586.tif 000003
【図２】
2010004586.tif 000004
【図３】
2010004586.tif 000005
【図４】
2010004586.tif 000006
【図５】
2010004586.tif 000007
【図６】
2010004586.tif 000008
【図７】
2010004586.tif 000009
【図８】
2010004586.tif 000010
【図９】
2010004586.tif 000011